(57)【要約】【課題】使用中及び使用待機中の各電動車両について適切な充電又は放電を行い得る仕組みを提供する。【解決手段】取得部１０１は、使用中及び使用待機中の各電動車両５００の電力残量を取得する。算出部１０２は、各々の電動車両５００について取得された電力残量と、各々の電動車両５００の使用計画及び使用実績とに基づいて、当該電動車両５００における充電量又は放電量を算出する。決定部１０３は、を使用中の電動車両５００が充電を行う充電装置を決定する。指示部１０４は、算出された充電量又は放電量を各々の電動車両５００に指示する。【選択図】図３
2019140840.tif 000002
【特許請求の範囲】
【請求項１】
使用中及び使用待機中の各電動車両の電力残量を取得する取得部と、
各々の前記電動車両について取得された前記電力残量と、各々の前記電動車両の使用計画とに基づいて、当該電動車両における充電量又は放電量を算出する算出部と、
算出された充電量又は放電量を各々の前記電動車両に指示する指示部と
を備えることを特徴とする情報処理装置。
【請求項２】
前記算出部は、一の前記電動車両について取得された前記電力残量、前記使用計画及び当該一の電動車両の使用実績と、他の前記電動車両について取得された前記電力残量、前記使用計画及び当該他の電動車両の使用実績とに基づいて、当該一の電動車両及び当該他の電動車両における充電量又は放電量を算出する
ことを特徴とする請求項１記載の情報処理装置。
【請求項３】
使用中の前記電動車両が充電を行う充電装置を決定する決定部を備える
ことを特徴とする請求項１又は２記載の情報処理装置。
【請求項４】
前記決定部は、前記電動車両が使用されるエリアにある充電装置又は前記電動車両の使用後に駐車されるエリアにある充電装置のいずれかを、前記電動車両が充電を行う充電装置として決定する
ことを特徴とする請求項３記載の情報処理装置。
【請求項５】
前記決定部は、前記電動車両が使用されるエリアにある充電装置の充電速度に基づいて前記決定を行う
ことを特徴とする請求項４記載の情報処理装置。
【請求項６】
前記決定部は、前記電動車両が使用されるエリアから前記電動車両の使用後に駐車されるエリアに移動するときの条件に基づいて前記決定を行う
ことを特徴とする請求項４記載の情報処理装置。
【請求項７】
前記決定部は、前記電動車両のユーザの運転履歴又は運転時の環境情報に基づいて前記決定を行う
ことを特徴とする請求項３記載の情報処理装置。
【請求項８】
前記電動車両が使用されるエリアにある充電装置によって充電すると決定された場合に、当該充電の作業を行ったユーザに対して特典を与える処理を行う特典処理部を備える
ことを特徴とする請求項４〜７のいずれか１項に記載の情報処理装置。
【請求項９】
複数の前記電動車両の使用における偏り及び前記電動車両の使用に備える予備を考慮して、ユーザが使用する電動車両を選択する選択部を備える
ことを特徴とする請求項１〜８のいずれか１項に記載の情報処理装置。
【請求項１０】
請求項１〜９のいずれか１項に記載の情報処理装置と、
前記情報処理装置からの指示に従い、前記電動車両に対する充電又は放電を行う充電装置と
を備えることを特徴とする電力制御システム。
【発明の詳細な説明】
【技術分野】
【０００１】
本発明は、電動車両における充電又は放電を管理するための仕組みに関する。
【背景技術】
【０００２】
電力を動力源とした電気自動車が普及しつつある。特許文献１には、電気自動車の電池残量とユーザの予約情報（使用時間帯、使用予定距離、走行予定地域、目的地）に、ユーザの過去の運転履歴（移動経路、移動高度、移動速度、天候情報、モーター電力使用量、補機類電力消費量）から特定した消費電力増減傾向を加味したうえで算出した必要消費電力を出発時刻までに蓄電可能な電気自動車を、配車可能車として選択することが記載されている。
【先行技術文献】
【特許文献】
【０００３】
【特許文献１】特開２０１３−９０３５９号公報
【発明の概要】
【発明が解決しようとする課題】
【０００４】
最近では、マンション等の集合住宅において複数の電気自動車等の電動車両をその住人が共用する場合に、必要に応じて、各電動車両に充電したり各電動車両から放電して集合住宅の設備に供給したりするといった仕組みが考えられている。
【０００５】
そこで、本発明は、使用中及び使用待機中の各電動車両について適切な充電又は放電を行い得る仕組みを提供することを目的とする。
【課題を解決するための手段】
【０００６】
上記課題を解決するため、本発明は、使用中及び使用待機中の各電動車両の電力残量を取得する取得部と、各々の前記電動車両について取得された前記電力残量と、各々の前記電動車両の使用計画とに基づいて、当該電動車両における充電量又は放電量を算出する算出部と、算出された充電量又は放電量を各々の前記電動車両に指示する指示部とを備えることを特徴とする情報処理装置を提供する。
【０００７】
前記算出部は、一の前記電動車両について取得された前記電力残量、前記使用計画及び当該一の電動車両の使用実績と、他の前記電動車両について取得された前記電力残量、前記使用計画及び当該他の電動車両の使用実績とに基づいて、当該一の電動車両及び当該他の電動車両における充電量又は放電量を算出するようにしてもよい。
【０００８】
使用中の前記電動車両が充電を行う充電装置を決定する決定部を備えるようにしてもよい。
【０００９】
前記決定部は、前記電動車両が使用されるエリアにある充電装置又は前記電動車両の使用後に駐車されるエリアにある充電装置のいずれかを、前記電動車両が充電を行う充電装置として決定するようにしてもよい。
【００１０】
前記決定部は、前記電動車両が使用されるエリアにある充電装置の充電速度に基づいて前記決定を行うようにしてもよい。
【００１１】
前記決定部は、前記電動車両が使用されるエリアから前記電動車両の使用後に駐車されるエリアに移動するときの条件に基づいて前記決定を行うようにしてもよい。
【００１２】
前記決定部は、前記電動車両のユーザの運転履歴に基づいて前記決定を行うようにしてもよい。
【００１３】
前記電動車両が使用されるエリアにある充電装置によって充電すると決定された場合に、当該充電の作業を行ったユーザに対して特典を与える処理を行う特典処理部を備えるようにしてもよい。
【００１４】
複数の前記電動車両の使用における偏り及び前記電動車両の使用に備える予備を考慮して、ユーザが使用する電動車両を選択する選択部を備えるようにしてもよい。
【００１５】
また、本発明は、上記情報処理装置と、前記情報処理装置からの指示に従い、前記電動車両に対する充電又は放電を行う充電装置とを備えることを特徴とする電力制御システムを提供する。
【発明の効果】
【００１６】
本発明によれば、使用中及び使用待機中の各電動車両について適切な充電又は放電を行い得る仕組みを提供することができる。
【図面の簡単な説明】
【００１７】
【図１】車両共用システムの全体構成を示す図
【図２】サーバ装置のハードウェア構成を示すブロック図
【図３】サーバ装置が実現する機能を示す機能ブロック図
【図４】車両使用管理テーブルのデータ構造を概念的に例示する図
【図５】電力管理テーブルのデータ構造を概念的に例示する図
【図６】充電装置テーブルのデータ構造を概念的に例示する図
【図７】車両共有システムの処理を示すシーケンスチャート
【図８】車両共有システムの処理を示すシーケンスチャート
【図９】車両共有システムの処理を示すシーケンスチャート
【発明を実施するための形態】
【００１８】
図１は、本発明の一実施形態である車両共用システムの全体構成を示す図である。車両共用システム１は、電動車両における電力を制御する電力制御システムとして機能する。図１に示すように、車両共用システム１は、このサービスを管理するためのサーバ装置１００と、電動車両のユーザが操作するユーザ端末２００と、マンション等の集合住宅に設置された充電ステーション３００と、電動車両５００に搭載される車載端末４００とを備える。ユーザ端末２００、充電ステーション３００、及び車載端末４００は、ネットワーク９００を介してサーバ装置１００と接続されとており、これらは相互に通信を行う。ネットワーク９００は、インターネットや移動通信網等の有線又は無線の通信ネットワークである。ネットワーク９００は、単独の通信ネットワークではなく、通信方式が異なる複数の通信ネットワークを相互接続したものであってもよい。なお、図１には、サーバ装置１００、ユーザ端末２００、充電ステーション３００、車載端末４００及び電動車両５００をそれぞれ１つずつ示しているが、これらはそれぞれ複数であってもよい。
【００１９】
ユーザ端末２００は、例えばスマートホンやタブレット或いはパーソナルコンピュータなどの通信可能なコンピュータであり、制御部と、通信部と、記憶部と、ＵＩ部と備えている。制御部は、ＣＰＵ（Central Processing Unit）などの演算処理装置と、ＲＯＭ（Read Only Memory）及びＲＡＭ（Random Access Memory）などの記憶装置とを備えている。ＲＯＭには、ＣＰＵによって実行されるプログラムが記憶されている。ＣＰＵは、ＲＡＭをワークエリアとして用いてＲＯＭや記憶部に記憶されたプログラムを実行することによって、ユーザ端末２００の各部の動作を制御する。通信部は、アンテナや通信回路を備えており、移動通信網の基地局と無線通信を行う。記憶部は、例えばフラッシュメモリなどの記憶部であり、制御部が用いるデータ群やプログラム群を記憶している。ＵＩ（User Interface）部は、例えばキーやタッチセンサなどの操作子が設けられた操作部と、例えば液晶パネルや液晶駆動回路などの表示部と、例えばスピーカ又はイヤホン用端子などの音声出力部とを含んでいる。
【００２０】
車載端末４００は例えばカーナビゲーション装置などの通信可能なコンピュータであり、制御部と、通信部と、記憶部と、ＵＩ部と、センサ部とを備えている。制御部は、ＣＰＵなどの演算処理装置と、ＲＯＭ及びＲＡＭなどの記憶装置とを備えている。ＲＯＭには、ＣＰＵによって実行されるプログラムが記憶されている。ＣＰＵは、ＲＡＭをワークエリアとして用いてＲＯＭや記憶部に記憶されたプログラムを実行することによって、車載端末４００の各部の動作を制御する。通信部は、アンテナや通信回路を備えており、移動通信網の基地局と無線通信を行う。記憶部は、例えばハードディスクなどの記憶装置であり、制御部が用いるデータ群やプログラム群を記憶している。ＵＩ部は、例えばキーやタッチセンサなどの操作子が設けられた操作部と、例えば液晶パネルや液晶駆動回路などの表示部と、例えばスピーカ又はイヤホン用端子などの音声出力部とを含んでいる。センサ部は、電動車両の状態を取得するための取得部であり、例えば電力の残量を取得するセンサを含む。
【００２１】
図２は、サーバ装置１００のハードウェア構成を示すブロック図である。サーバ装置１００は例えばサーバマシンなどの情報処理装置であり、制御部１１と、通信部１２と、記憶部１３とを備えている。制御部１１は、ＣＰＵ等の演算装置と、ＲＯＭ及びＲＡＭなどの記憶装置とを備えている。ＣＰＵは、ＲＡＭをワークエリアとして用いてＲＯＭや記憶部１３に記憶されたプログラムを実行することによって、サーバ装置１００の各部の動作を制御する。通信部１２はネットワーク９００に接続されており、通信処理を行う。記憶部１３は、例えばハードディスク等の記憶装置であり、制御部１１が用いるデータ群やプログラム群を記憶している。
【００２２】
図３は、サーバ装置１００の機能構成を示す図である。ＣＰＵがＲＡＭをワークエリアとして用いてＲＯＭや記憶部１３に記憶されたプログラムを実行することによって、サーバ装置１００の各機能が実現される。
【００２３】
取得部１０１は、使用中及び使用待機中の各電動車両５００の電力残量を取得する。
【００２４】
算出部１０２は、各々の電動車両５００について取得された電力残量と、各々の電動車両５００の使用計画及び使用実績とに基づいて、当該電動車両５００における充電量又は放電量を算出する。なお、電動車両５００に充電した電力を放電する理由は、例えば深夜時間帯等の電気料金が安い時間帯に電動車両５００に充電しておき、昼間等の電気料金が高い時間帯に電動車両５００から集合住宅等に放電すれば、トータルでは電気料金の総額を削減することができるからである。
【００２５】
決定部１０３は、を使用中の電動車両５００が充電を行う充電装置を決定する。決定部１０３は、電動車両５００が使用されるエリアにある充電装置(各地に設置された任意のユーザが使用可能な有料の充電装置）又は電動車両５００の使用後に駐車されるエリアにある充電装置（充電ステーション３００）のいずれかを、電動車両５００が充電を行う充電装置として決定する。このとき、決定部１０３は、電動車両５００が使用されるエリアにある充電装置の充電速度に基づいて決定を行う。
【００２６】
指示部１０４は、算出された充電量又は放電量を各々の電動車両５００に指示する。さらに、指示部１０４は決定された充電装置で充電を行うよう各々の電動車両５００に指示する。
【００２７】
特典処理部１０５は、電動車両５００が使用されるエリアにある充電装置によって充電すると決定された場合に、当該充電の作業を行ったユーザに対して特典を与える処理を行う。
【００２８】
選択部１０６は、複数の電動車両５００の使用における偏り及び電動車両５００の使用に備える予備を考慮して、ユーザが使用する電動車両５００を選択する。具体的には、選択部１０６は、複数の電動車両５００の使用において、電池の使用期間に応じた経年劣化や残電力等が可能な限り均等になるよう、ユーザが使用する電動車両５００を選択する。また、選択部１０６は、同時に使用される電動車両５００の数が少なくなるよう（つまり突発的な使用に備える予備としての、少なくとも１以上の電動車両５００が常に存在するよう）、ユーザが使用する電動車両５００を選択する。
【００２９】
図４は、車両使用管理テーブルのデータ構造を概念的に例示する図である。このテーブルは、各ユーザを識別するユーザＩＤ及びそのユーザによる電動車両５００の使用予定日時が対応付けられたテーブルと、各電動車両を識別する車両ＩＤ及びその電動車両５００の状態が対応付けられたテーブルとを含む。電動車両５００の状態の種類には、ユーザによって運転される使用予定と、充電を行う充電予定と、放電を行う放電予定とが含まれる。図４の例では、例えば或る日の6:00-7:00及び17:00-18:00においてユーザａによって電動車両が使用される。また、この日において、車両Ａは、0:00-6:00及び18:00-24:00においては充電がなされ、6:00-7:00及び10:00-13:00においては使用（運転）がなされる。なお、電動車両５００の使用予定日時は、日及び時刻以外に、例えば曜日や祝日/休日に関する情報を含んでいてもよい。
【００３０】
車両使用管理テーブルは、図示したような将来の予定に関するもののほか、過去の実績に関するものを含む。つまり、各ユーザを識別するユーザＩＤ及びそのユーザによる電動車両５００の使用実績日時が対応付けられたテーブルと、各電動車両を識別する車両ＩＤ及びその電動車両５００の状態が対応付けられたテーブルとを含む。電動車両５００の状態の種類には、ユーザによって運転される使用実績と、充電を行う充電実績と、放電を行う放電実績とが含まれる。これらのテーブルは記憶部１３（算出部１０２）により記憶される。
【００３１】
図５は、電力管理テーブルのデータ構造を概念的に例示する図である。このテーブルにおいては、電動車両５００の車両ＩＤに対応付けて、その電動車両５００における電力残量が記述されている。このテーブルは記憶部１３（取得部１０１）により記憶される。
【００３２】
図６は、充電装置テーブルのデータ構造を概念的に例示する図である。このテーブルにおいては、充電ステーション３００を含む、各地に設置された充電装置の位置及び充電能力(充電速度)が記述されている。このテーブルは記憶部１３（決定部１０３）により記憶される。
【００３３】
［動作］
次に、本実施形態の動作を説明する。
［貸し出し返却に関する基本処理］
図７において、車両を使用したいユーザはユーザ端末２００を操作して使用予定日時を入力する。ユーザ端末２００は使用予定日時を含む使用要求をサーバ装置１００に送信する（ステップＳ１）。サーバ装置１００は使用予定日時を車両使用管理テーブルに記述することでこれを更新する（ステップＳ２）。このとき、サーバ装置１００の選択部１０６は、複数の電動車両５００の使用における偏りがないように且つ電動車両５００の使用に備える予備を考慮して、ユーザが使用する電動車両を選択する。
【００３４】
次に、サーバ装置１００の算出部１０２は、各々の電動車両５００について取得された電力残量（電力管理テーブル）と、各々の電動車両５００の使用計画及び使用実績（車両使用管理テーブル）と、集合住宅等の設備に対する電力需要予想とに基づいて、当該電動車両５００における充電量又は放電量を算出する（ステップＳ３）。このとき、算出部１０２は、一の電動車両５００について取得された電力残量、使用計画及び使用実績と、他の電動車両について取得された電力残量、使用計画及び使用実績とに基づいて、当該一の電動車両及び当該他の電動車両における充電量又は放電量を算出する。例えば、現時点である7:00に第１の電動車両５００について取得された電力残量が５０であり、9:00〜17:00に消費電力量が６０に相当する使用計画があるのに対し、現時点である7:00に第２の電動車両について取得された電力残量が１００であり、12:00〜17:00に消費電力が２０に相当する使用計画があり、さらに、17:00〜19:00にマンション等の集合住宅において電力量２０に相当する電力が必要とされている場合を想定する。なお、一台の電動車両５００に対して１時間あたりに充電可能な電力量は最大１０とする。第１の電動車両５００に対し、7:00-9:00に２０の電力を充電するよう指示したとすると、17:00時点での第１の電動車両５００の電力残量は１０であり、第２の電動車両５００の電力残量は８０である。これらの合計は１０＋８０＝９０であるから、17:00〜19:00に集合住宅の設備に対して、例えば第２の電動車両５００から電力量２０を放電可能である。ただし、このとき、第２の電動車両５００が18:00-20:00の予定で使用計画がある場合には、17:00-19:00において第１の電動車両５００から電力量１０を放電し、17:00-18:00において第２の電動車両５００から電力量１０を放電するよう指示すればよい。さらにこのとき、使用実績に基づいて特定される電動車両５００の電池の使用期間が、複数の電動車両５００間でできるだけ均等になるよう、充電量又は放電量が算出される。このように算出部１０２は、一の電動車両５００について取得された電力残量、使用計画及び使用実績と、他の電動車両について取得された電力残量、使用計画及び使用実績とに基づいて、当該一の電動車両及び当該他の電動車両における充電量又は放電量を算出すればよい。
【００３５】
使用開始までに充電が必要な場合には、指示部１０４は、算出された充電量を充電するよう電動車両５００に指示する充電指示を生成し（ステップＳ４）、ユーザ端末２００に使用許諾の旨を応答するとともに（ステップＳ５）、充電指示を充電ステーション３００経由で車載端末４００に送信する（ステップＳ６，７）。
【００３６】
貸し出し時期が到来すると、ユーザはユーザ端末２００を操作して認証を要求し（ステップＳ８）、サーバ装置１００はこの認証が成功すると、所定の貸出処理を行う（ステップＳ９）。そして、サーバ装置１００は、利用開始を充電ステーション３００経由で車載端末４００に送信する（ステップＳ１０，１１）。車載端末４００は、所定期間ごとに位置や電力残量をサーバ装置１００に通知する（ステップＳ１２）。サーバ装置１００は電力残量を電力管理テーブルに記述することでこれを更新する（ステップＳ１３）。そして、サーバ装置１００は、各々の電動車両５００について取得された電力残量（電力管理テーブル）と、各々の電動車両５００の使用計画及び使用実績（車両使用管理テーブル）とに基づいて、充電ステーション３００に接続されている電動車両５００における充電量又は放電量を算出する（ステップＳ１４）。使用開始までに充電が必要な場合には、指示部１０４は、算出された充電量を充電するよう各電動車両５００に指示する充電指示を生成し（ステップＳ１５）、充電指示を充電ステーション３００経由で車載端末４００に送信する（ステップＳ１６）。
【００３７】
ユーザは使用し終わった車両を充電ステーション３００に返却すると、ユーザ端末２００を操作して返却を要求し（ステップＳ１７）、サーバ装置１００はこれに応じて、所定の返却処理を行う（ステップＳ１８）。そして、サーバ装置１００は、ユーザ端末２００に使用終了の旨を応答するとともに（ステップＳ１９）、使用終了通知を充電ステーション３００経由で車載端末４００に送信する（ステップＳ２０）。
【００３８】
［使用先における充電処理］
図８において、車載端末４００は、電動車両５００の使用中において、所定期間ごとに位置や電力残量をサーバ装置１００に通知する（ステップＳ３１）。これに応じて、サーバ装置１００の決定部１０３は、使用中の電動車両５００が充電を行う充電装置を決定する（ステップＳ３２）。具体的には、決定部１０３は、電動車両５００が使用されるエリアにある充電装置(各地に設置された任意のユーザが使用可能な有料の充電装置）又は電動車両５００の使用後に駐車されるエリアにある充電装置（充電ステーション３００）のいずれかを、電動車両５００が充電を行う充電装置として決定する。このとき、決定部１０３は、電動車両５００が使用されるエリアにある充電装置の充電速度に基づいて決定を行う。つまり、決定部１０３は、電動車両５００が使用されるエリアから電動車両５００の使用後に駐車されるエリアに移動するまでに使用される電力量と移動が完了するときに必要な電力量を算出し、その移動が完了するときにその電力量を確保可能な充電を行い得る充電能力（速度）又は距離にある充電装置を決定する。
【００３９】
指示部１０４は、決定した充電装置をユーザ端末２００に指示する（ステップＳ３３）。この指示は、この電動車両に次の予約があり、残量が帰着後も利用に支障がある場合などは「急速充電」をレコメンドし、この電動車両に次に予約はないが、残量で帰宅するには足りない恐れがある場合は「普通充電」をレコメンドすることを含む。ユーザがこの指示を了承する操作を行うと、ユーザ端末２００はこれに応答する（ステップＳ３４）。これに応じて、サーバ装置１００は、決定した充電装置を電動車両５００の経由地に設定するよう車載端末４００に指示する（ステップＳ３５）。車載端末４００は、指示された充電装置を電動車両５００の経由地に設定する等の充電対応処理を行い（ステップＳ３６）、充電装置に到着すると、その旨をサーバ装置１００に報告する（ステップＳ３７）。サーバ装置１００は、充電に必要な時間を計算してユーザ端末２００に通知する（ステップＳ３８）。充電が完了すると、車載端末４００は、その旨をサーバ装置１００に報告する（ステップＳ３９）。サーバ装置１００は、ユーザ端末２００に充電終了の旨を応答する（ステップＳ４０）。この後、特典処理部１０５は、充電の作業を行ったユーザに対して特典（例えば電動車両５００を無料で使用し得る権利等）を与える処理を行う。
【００４０】
［充電ステーションにおける放電処理］
図９において、使用待機中の車載端末４００は、所定期間ごとに電力残量を充電ステーション３００経由でサーバ装置１００に通知する（ステップＳ１０１，１０２）。サーバ装置１００は電力残量を電力管理テーブルに記述することでこれを更新する。次に、サーバ装置１００の算出部１０２は、各々の電動車両５００について取得された電力残量（電力管理テーブル）と、各々の電動車両５００の使用計画及び使用実績（車両使用管理テーブル）と、集合住宅等の設備に対する電力需要予想とに基づいて、電動車両５００群からの電力供給量（放電量）を算出し（ステップＳ１０３）、充電ステーション３００に通知する（ステップＳ１０４）。充電ステーション３００は、各々の電動車両５００からの放電量を算出し（ステップＳ１０５）、車載端末４００に通知する（ステップＳ１０６）。この通知に応じて車載端末４００は放電を行い（ステップＳ１０７）、充電ステーション３００は、集合住宅の電力システムに電力を供給する（ステップＳ１０８）。
【００４１】
以上説明した実施形態によれば、使用中及び使用待機中の各電動車両５００について適切な充電又は放電を行い得る。
【００４２】
［変形例］
上述した実施形態は次のような変形が可能である。また、以下の変形例を互いに組み合わせて実施してもよい。
［変形例１］
決定部１０３は、電動車両５００が使用されるエリアから電動車両５００の使用後に駐車されるエリアに移動するときの条件に基づいて、充電装置の決定を行ってもよい。ここでいう条件とは、例えば電動車両５００が使用されるエリアから電動車両５００の使用後に駐車されるエリアに移動するときの渋滞の有無や距離又は速度などを含む。具体的には、決定部１０３は、電動車両５００の移動経路上の渋滞の有無や距離又は速度に関する情報を取得し、電動車両５００が使用されるエリアから電動車両５００の使用後に駐車されるエリアに移動するまでに使用される電力量と移動が完了するときに必要な電力量を算出し、その移動が完了するときにその電力量を確保可能な充電を行い得る充電能力（速度）又は距離にある充電装置を決定する。
【００４３】
［変形例２］
決定部１０３は、電動車両５００のユーザの運転履歴に基づいて充電装置の決定を行ってもよい。ここでいう運転履歴とは、そのユーザの過去の運転において単位距離を移動するのに要する平均的な電力量を含む。具体的には、決定部１０３は、ユーザの過去の運転において単位距離当たりに平均的に使用される電力量を計算し、電動車両５００が使用されるエリアから電動車両５００の使用後に駐車されるエリアに移動するまでに使用される電力量と移動が完了するときに必要な電力量を算出し、その移動が完了するときにその電力量を確保可能な充電を行い得る充電能力（速度）又は距離にある充電装置を決定する。
【００４４】
［変形例３］
決定部１０３は、天候や気温等の運転時の環境情報に基づいて充電装置の決定を行ってもよい。天候や気温等によって電動車両５００における運転時の電力消費の傾向が変化することがあるからである。具体的には、決定部１０３は、天候や気温別に単位距離当たりに平均的に使用される電力量を計算し、電動車両５００が使用されるエリアから電動車両５００の使用後に駐車されるエリアに移動するまでに使用される電力量と、移動が完了するときに必要な電力量とを算出し、その移動が完了するときにその電力量を確保可能な充電を行い得る充電能力（速度）又は距離にある充電装置を決定する。
【００４５】
［変形例４］
ユーザに与えられる特典は実施形態に例に限らない。特典の別の例としては、ユーザに対する価値に相当するポイント（例えばユーザ端末の通信料金に充当可能なポイントや、商業店舗で金銭の代わりに使用可能なポイント）の付与であってもよい。
【００４６】
［変形例５］
電動車両５００は、四輪車に限らず、二輪車などであってもよいし、車輪がある車両にも限定されない。
【００４７】
［変形例６］
算出部１０２は、各々の電動車両５００について取得された電力残量と、各々の電動車両５００の使用計画及び使用実績とに基づいて、当該電動車両における充電量又は放電量を算出していたが、使用実績を用いることは必ずしも必須ではない。
【００４８】
［その他の変形例］
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００４９】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを使用するシステム及び／又はこれらに基づいて拡張された次世代システムに適用されてもよい。
【００５０】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００５１】
本明細書で使用する「システム」及び「ネットワーク」という用語は、互換的に使用される。
【００５２】
本明細書で使用する「判断(determining)」、「決定(determining)」という用語は、多種多様な動作を包含する場合がある。「判断」、「決定」は、例えば、判定（judging）、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００５３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。また、「含む(including)」、「含んでいる（comprising）」、及びそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。また、本開示の全体において、例えば、英語でのa, an, 及びtheのように、翻訳により冠詞が追加された場合、これらの冠詞は、文脈から明らかにそうではないことが示されていなければ、複数のものを含むものとする。
【００５４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００５５】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００５６】
本発明に係るサーバ装置１００は、実施形態で説明したようにそれぞれの機能の全てを一体に備えた装置によっても実現可能であるし、それぞれの装置の機能を、さらに複数の装置に分散して実装したシステムであってもよい。また、ユーザ端末２００は、スマートホンやタブレットなどの無線通信を行う装置に限らず、例えばノートブック型のパーソナルコンピュータなどの有線通信を行う装置であってもよい。
【００５７】
本発明は、サーバ装置１００が行う情報処理方法、或いは、サーバ装置１００としてコンピュータを機能させるためのプログラムといった形態でも実施が可能である。かかるプログラムは、光ディスク等の記録媒体に記録した形態で提供されたり、インターネット等のネットワークを介して、コンピュータにダウンロードさせ、これをインストールして使用可能にするなどの形態で提供されたりすることが可能である。
【符号の説明】
【００５８】
１００・・・サーバ装置、１１・・・制御部、１２・・・通信部、１３・・・記憶部、１０１・・・取得部、１０２・・・算出部、１０３・・・決定部、１０４・・・指示部、１０５・・・特典処理部、１０６・・・選択部、２００・・・ユーザ端末、３００・・・充電ステーション３００・・・車載端末、５００・・・電動車両、９００・・・ネットワーク。
【図１】
2019140840.tif 000003
【図２】
2019140840.tif 000004
【図３】
2019140840.tif 000005
【図４】
2019140840.tif 000006
【図５】
2019140840.tif 000007
【図６】
2019140840.tif 000008
【図７】
2019140840.tif 000009
【図８】
2019140840.tif 000010
【図９】
2019140840.tif 000011